(57)【要約】【課題】  デジタル放送受信機において、番組表表示などに使用される番組情報の取得更新を中止または失敗した場合、番組情報の更新が反映されない古い番組表が表示されたり、番組表の一部が表示されないため視聴予定の番組を見逃したり、録画予約が失敗するなどの問題が発生する場合がある。【解決手段】  デジタル放送波からの番組情報の取得を中止または失敗して、番組情報の更新が完了していないと判定部１０４が判定した場合、通信部１０９は、電話回線を通して番組情報蓄積サーバー１５１へ接続し、更新が必要な番組情報を取得し、番組情報を更新する。【選択図】        図１
2005051613.tif 000002
【特許請求の範囲】
【請求項１】
通信手段により複数の放送局から番組の内容に関係する番組情報を含んだ情報を複数受信する受信部と、
前記受信部が受信した複数の情報に含まれる複数の番組情報とともに各番組情報の取得を完了したか否かを示す識別情報を記憶する記憶部と、
前記記憶部が記憶した識別情報に基づいて、所定の番組情報の取得が完了したか否かを判定する判定部と、
前記判定部が所定の番組情報の取得を完了していないと判定した場合には、前記受信部が情報の受信に使用した通信手段とは異なる通信手段を使用して前記所定の番組情報を取得する通信部とを備える受信機。
【請求項２】
前記受信部は、番組情報と番組情報の放送時間情報とを含んだ情報を複数受信し、
前記記憶部は、前記受信部によって受信された各番組情報の放送時間情報に基づいて、１日を所定の時間帯に分割した各番組情報を１または複数のセグメントに分割し、分割した各番組情報のセグメント毎に各番組情報のセグメントの取得を完了したか否かを示す識別情報を記憶し、
前記判定部は、前記記憶部が記憶した各番組情報のセグメント毎の識別情報に基づいて、所定の番組情報の所定のセグメントの取得が完了したか否かを判定し、
前記通信部は、前記判定部が前記所定の番組情報の所定のセグメントの取得を完了していないと判定した場合には、前記受信部が情報の受信に使用した通信手段とは異なる通信手段を使用して前記所定の番組情報の所定のセグメントを取得する請求項１に記載された受信機。
【請求項３】
前記受信機は、さらに、
前記受信機の電源スイッチを管理し、前記受信機の電源スイッチがＯＦＦである場合、少なくとも前記通信部に電気を供給する電源管理部を備え、
前記通信部は、前記電源管理部によって供給された電気を利用して、前記受信部が情報の受信に使用した通信手段とは異なる通信手段を使用して前記所定の番組情報を取得する請求項１に記載された受信機。
【請求項４】
前記判定部は、前記電源管理部によって管理される電源スイッチがＯＦＦからＯＮに変化した場合、前記記憶部が記憶した識別情報に基づいて、所定の番組情報の取得が完了したか否かを判定し、
前記通信部は、前記判定部が所定の番組情報の取得を完了していないと判定した場合、前記受信部によって受信された情報のユーザーによる視聴と並行して、前記受信部が情報の受信に使用した通信手段とは異なる通信手段を使用して前記所定の番組情報を取得する請求項１に記載された受信機。
【請求項５】
前記記憶部は、前記識別情報として前記番組情報を取得した取得時刻情報を記憶し、
前記判定部は、前記番組情報を取得した取得時刻情報に基づいて、予め定めた基準時刻よりも古い番組情報を取得したか否かを判定し、
前記通信部は、前記判定部によって前記基準時刻よりも古い番組情報を取得したと判定された場合、前記受信部が情報の受信に使用した通信手段とは異なる通信手段を使用して前記所定の番組情報を取得する請求項１に記載された受信機。
【請求項６】
前記記憶部は、前記識別情報として前記番組情報を取得した取得時刻情報を記憶し、
前記受信機は、さらに、
前回以前に取得した複数の番組情報と複数の取得時刻情報とを記憶する蓄積部と、
前記記憶部が記憶した複数の番組情報と複数の取得時刻情報とから、前記蓄積部が記憶した複数の番組情報と複数の取得時刻情報とを更新する更新制御部とを備える請求項１に記載された受信機。
【請求項７】
前記通信部は、前記受信部が情報の受信に使用した通信手段とは異なる通信手段として電話回線を使用する請求項１に記載された受信機。
【請求項８】
通信手段により複数の放送局から番組の内容に関係する番組情報を含んだ情報を複数受信し、
前記受信した複数の情報に含まれる複数の番組情報とともに各番組情報の取得を完了したか否かを示す識別情報を記憶部に記憶し、
前記記憶部に記憶した識別情報に基づいて、所定の番組情報の取得が完了したか否かを判定し、
所定の番組情報の取得を完了していないと判定した場合には、前記複数の情報の受信に使用した通信手段とは異なる通信手段を使用して前記所定の番組情報を取得する受信制御方法。
【請求項９】
通信手段により複数の放送局から番組の内容に関係する番組情報を含んだ情報を複数受信する処理と、
前記受信した複数の情報に含まれる複数の番組情報とともに各番組情報の取得を完了したか否かを示す識別情報を記憶部に記憶する処理と、
前記記憶部に記憶した識別情報に基づいて、所定の番組情報の取得が完了したか否かを判定する処理と、
所定の番組情報の取得を完了していないと判定した場合には、前記複数の情報の受信に使用した通信手段とは異なる通信手段を使用して前記所定の番組情報を取得する処理とをコンピュータに実行させる受信制御プログラム。
【発明の詳細な説明】
【技術分野】
【０００１】
本発明はデジタル放送受信機及びデジタル放送受信機における番組情報取得方法に関するものである。
【背景技術】
【０００２】
デジタル放送の放送電波にはＥＩＴ（Ｅｖｅｎｔ  Ｉｎｆｏｒｍａｔｉｏｎ  Ｔａｂｌｅ）と呼ばれる番組情報が付加され、送出されている。ＢＳデジタル放送や１１０度ＣＳデジタル放送におけるＥＩＴは、受信している放送局とは異なる他の放送局のＥＩＴも多重して送出されるため、例えば、ＢＳデジタル放送の任意の放送局から放送波を受信していれば、ＢＳデジタル放送の全局の番組情報を取得することが可能であった。
【０００３】
しかし、地上デジタル放送においては放送局毎に、その放送局の番組情報のみを送出するため他局の番組情報を取得することが出来ない。
【０００４】
地上デジタル放送の全局の番組情報を取得するためには、ユーザーが受信機の電源をＯＦＦにしている時に受信する全ての放送局の選局を順次行って番組情報の取得／蓄積を行うことが動作例として「「地上デジタルテレビジョン放送運用規定技術資料」第一分冊」に記載されている（例えば、非特許文献１参照）。
【非特許文献１】社団法人  電波産業会発行、「地上デジタルテレビジョン放送運用規定技術資料１．２版」、第一分冊第二編「地上デジタルテレビジョン受信機機能仕様」、２００２年１１月２７日発行、ｐ．２４
【発明の開示】
【発明が解決しようとする課題】
【０００５】
このように、従来の前述のデジタル放送受信機においては、受信機の電源がＯＦＦになっている間のみ、地上デジタル放送の視聴可能な放送局の番組情報の取得・更新が行われるため、視聴可能な放送局の番組情報の取得動作中にユーザーが視聴のため電源をＯＮにするか、取得動作中に録画予約の実行が開始された場合などに、視聴可能な放送局の番組情報の取得・更新が完了できないことがある。
【０００６】
番組情報の更新ができず古い番組情報が残っている状態で番組表を表示させた場合には、番組開始・終了時刻の変更が反映されない、あるいは番組表の一部で情報が表示されないため、ユーザーが視聴予定であった番組を見逃す可能性がある。
【０００７】
また、録画予約を行う場合、予約したい番組の情報が取得できていない場合には、予約登録ができず、予約した番組の情報が更新されていない場合には、予約登録時に番組開始・終了時刻の変更が反映されないため、その番組の録画が中途半端もしくは、録画できない可能性がある。
【０００８】
また、前述のデジタル放送受信機においては、受信機の電源がＯＮのまま連続動作した場合には、選局された番組を放送している放送局以外の番組情報は取得することができないため、前記と同じ問題点が発生する。
【０００９】
この発明は上記のような問題点を解消するためになされたもので、電源ＯＦＦ状態で地上デジタル放送の番組情報の取得中にユーザー操作により電源がＯＮされて番組情報の取得が中断された場合や、常時、電源がＯＮで連続動作された場合に、視聴可能な放送局の番組情報の取得が不完全な状態でも、視聴可能な放送局からの番組情報の取得・更新を完了することが出来るデジタル放送受信機を得ることを目的とする。
【課題を解決するための手段】
【００１０】
この発明に係る受信機は、通信手段により複数の放送局から番組の内容に関係する番組情報を含んだ情報を複数受信する受信部と、
前記受信部が受信した複数の情報に含まれる複数の番組情報とともに各番組情報の取得を完了したか否かを示す識別情報を記憶する記憶部と、
前記記憶部が記憶した識別情報に基づいて、所定の番組情報の取得が完了したか否かを判定する判定部と、
前記判定部が所定の番組情報の取得を完了していないと判定した場合には、前記受信部が情報の受信に使用した通信手段とは異なる通信手段を使用して前記所定の番組情報を取得する通信部とを備える。
【発明の効果】
【００１１】
この発明に係るデジタル放送受信機によれば、視聴可能な放送局の番組情報の取得が不完全な状態でも、視聴可能な放送局からの番組情報の取得・更新を完了することが出来る。
【発明を実施するための最良の形態】
【００１２】
実施の形態１．
以下、実施の形態１について説明する。
【００１３】
図１はこの発明の実施の形態に係るデジタル放送受信機１０１の構成を示すものである。
【００１４】
図１においてデジタル放送受信機１０１は、受信部１０２、番組情報取得管理部１０３、判定部１０４、記憶部１０５、更新制御部１０６、蓄積部１０７、時刻管理部１０８、通信部１０９、電源管理部１１０、選局管理部１１１、多重分離部１１２、映像・音声復号部１１３、表示制御部１１４から構成される。
【００１５】
受信部１０２は、複数の放送局からデジタル放送の放送電波を受信し、デジタル放送電波によって伝送される、番組に関係する番組情報を含んだ情報の信号を復調する部である。
【００１６】
番組情報取得管理部１０３は、多重分離部１１２によって受信情報から分離された番組情報を管理する部である。
【００１７】
記憶部１０５はデジタル放送受信機１０１の電源がＯＮの間、記憶されたデータを保持することができるデータの一時記憶領域である。記憶部１０５の一例としては、例えば、揮発性メモリを用いたキャッシュメモリが挙げられる。記憶部１０５には、受信部１０２が受信した複数の情報から多重分離部１１２が分離した複数の番組情報とともに各番組情報の取得を完了したか否かを示す識別情報を記憶する。
【００１８】
判定部１０４は、記憶部１０５に記憶した識別情報に基づいて、放送局毎の番組情報の取得完了／未完了をデータの取得単位であるセグメント毎に判定する部である。
【００１９】
更新制御部１０６は蓄積部１０７のデータ更新を制御し、蓄積部１０７はデジタル放送受信機１０１が電源ＯＦＦの間もデータを保持する部である。蓄積部１０７の一例としては、例えば、電源ＯＦＦの間もデータを保持することができる不揮発性メモリが挙げられる。
【００２０】
時刻管理部１０８は、番組情報取得管理部１０３からの現在時刻取得要求に対し、現在時刻情報（番組情報の取得時刻情報）を番組情報取得管理部１０３に通知する部である。
【００２１】
通信部１０９は、電話回線を通してデータ放送運用管理センターや番組情報蓄積サーバー１５１等と双方向通信を行う部である。通信部１０９が使用する通信手段は、受信部１０２が放送電波を受信する際に使用する通信手段とは異なる手段であれば電話回線以外の手段でもよい。例えば、通信部１０９が使用する通信手段の他の一例としては、ＩＳＤＮ回線、ＦＴＴＨ（ＦＩＢＥＲ  ＴＯ  ＴＨＥ  ＨＯＭＥ）やＡＤＳＬ（ＡＳＹＭＭＥＴＲＩＣ  ＤＩＧＩＴＡＬ  ＳＵＢＳＣＲＩＢＥＲ  ＬＩＮＥ）等を利用したブロードバンド、ＵＷＤ（ＵＬＴＲＡ  ＷＩＤＥ  ＢＡＮＤ）等が挙げられる。
【００２２】
電源管理部１１０は、デジタル放送受信機１０１の電源ＯＮ／ＯＦＦ状態により、必要な部分に電源を供給するとともに、あらかじめ定められた時刻に、デジタル放送受信機１０１の番組情報の取得に必要な最低限の部分のみに電気を供給し、電気を供給した各部を自動的に起動させる部である。
【００２３】
選局管理部１１１は受信部１０２に対し選局した放送局を指示し、多重分離部１１２は受信部１０２で復調したデジタル放送信号に多重された映像・音声信号、番組情報を分離し、映像・音声復号部１１３は符号化された映像・音声信号を復号し、表示制御部１１４は復号された映像・音声信号と番組情報（番組表・番組内容）等の表示とを切換あるいは合成してテレビモニタ１５０へ出力する。
【００２４】
通常の番組視聴の場合、ユーザー操作により、デジタル放送受信機１０１の電源をＯＮにすると、電源管理部１１０は、デジタル放送受信機１０１の全ての部分に電源を供給し、デジタル放送受信機１０１の全ての部分を起動させる。
【００２５】
受信部１０２は、外部に接続されたアンテナより選局された放送局のデジタル放送波を受信し、復調したデジタル信号を多重分離部１１２へ出力する。
【００２６】
多重分離部１１２は、デジタル信号を映像・音声信号と番組情報に分離する。多重分離部１１２で分離された映像・音声信号は映像・音声復号部１１３にて復号され表示制御部１１４の制御によって、テレビモニタ１５０ヘ出力される。
【００２７】
多重分離部１１２で分離された番組情報には、番組情報取得管理部１０３で、時刻管理部１０８から取得した時刻情報（番組情報を取得した取得時刻情報）が付加される。番組情報取得管理部１０３は、番組情報とともに、番組情報を取得した取得時刻情報を記憶部１０５に保存する。
【００２８】
記憶部１０５に記憶する取得時刻情報は、番組情報の取得を完了したか否かを示す識別情報の一例である。現在時刻情報としては「年月日時分」「年月日時分秒」等を記憶することが考えられる。また、番組情報の取得を完了したか否かを示す識別情報の他の例としては、番組情報の取得を完了した場合にフラグを立てる等の方法を用いてもよい。
【００２９】
ユーザーによる番組視聴が終了して、ユーザー操作により、デジタル放送受信機１０１の電源がＯＦＦされると、電源管理部１１０は、デジタル放送受信機１０１の映像・音声復号部１１３と表示制御部１１４への電源の供給を停止する。
【００３０】
更新制御部１０６は、記憶部１０５に保存された番組情報及び取得時刻情報と蓄積部１０７に記憶されている番組情報及び取得時刻情報とを放送局毎にセグメント単位で比較する。蓄積部１０７には、前回以前に取得した複数の番組情報と複数の取得時刻情報とが蓄積されているので、更新制御部１０６は記憶部１０５に記憶された複数の番組情報と複数の取得時刻情報と蓄積部１０７に記憶された複数の番組情報と複数の取得時刻情報とを比較し、記憶部１０５に今回、新しい番組情報が記憶されていると判断した場合には、記憶部１０５に記憶された新しい番組情報と取得時刻情報とから蓄積部１０７の番組情報と取得時刻情報とを更新、または、追加する。
【００３１】
更新制御部１０６により、追加・更新された番組情報の蓄積部１０７への書き込みが終了すると、電源管理部１１０は、デジタル放送受信機１０１の内、電源管理部１１０以外の他の部分への電源の供給を停止する。すなわち、コンセントが接続された状態のデジタル放送受信機１０１において、電源ＯＦＦ時に、電源が供給されているのは、電源管理部１１０のみである。
【００３２】
次に、デジタル放送受信機１０１が電源ＯＦＦの場合に、あらかじめ定めた時刻に放送局毎に番組情報を自動取得する動作について説明する。
【００３３】
デジタル放送受信機１０１は、あらかじめ定めた時刻を迎えると、電源管理部１１０により、番組情報の取得に必要な部分（デジタル放送受信機１０１の全部分より、映像・音声復号部１１３と表示制御部１１４を除いた部分）の電源の供給を開始する。
【００３４】
選局管理部１１１は、受信可能な放送局を順番に選局するよう受信部１０２に指示する。
【００３５】
受信部１０２は指定された放送局を選局し、デジタル放送波を受信する。
【００３６】
デジタル放送波から取得する番組情報は、特定の周期で繰返し送出されており、各周期の中では番組を識別するイベント番号、番組の開始時刻と番組の継続時間（番組の放送時間情報）、番組のタイトルやその他番組の属性・内容に関する情報など複数のデータが、時系列の単位で区切られたセグメント毎に取得される。このように、番組情報は、各番組情報の放送時間情報に基づいて、各番組情報を放送時間に従って１または複数のセグメントに分割し、分割した各番組情報のセグメント毎に取得される。
【００３７】
地上デジタル放送で運用が規程されているＥＩＴ［ｓｃｈｅｄｕｌｅ  ｂａｓｉｃ］の１周期の番組情報を取得すると一週間先までの番組情報を取得することが出来る。
【００３８】
番組情報取得管理部１０３は、ユーザーによる通常の番組視聴の場合と同様に、多重分離部１１２で分離された番組情報に時刻管理部１０８から取得した取得時刻情報を付加し、記憶部１０５へ保存する。すなわち、分割された番組情報のセグメントと取得時刻情報とをセグメント毎に記憶部１０５へ保存する。ここで、取得時刻情報は、前述したように、各番組情報のセグメント毎の情報取得を完了したか否かを示す識別情報の一例である。
【００３９】
番組情報取得管理部１０３は、全放送局の番組情報を一通り取得した場合、番組情報取得完了と判断し、電源管理部１１０に対し、番組情報取得の完了を通知する。
【００４０】
以降の電源管理部１１０の動作は、番組視聴が終了して、ユーザー操作により、デジタル放送受信機１０１の電源がＯＦＦされた場合と同じであるため、ここでは説明を省略する。
【００４１】
前記、番組情報の取得中に、デジタル放送波が停波していた等の理由により、番組情報取得管理部１０３によって番組情報の追加・更新が出来なかった放送局がある場合、判定部１０４は、記憶部１０５に記憶された識別情報に基づいて各番組情報の各セグメントの取得を完了したか否かを判定することによって、番組情報が取得できなかった放送局のセグメントを特定し、電話回線を経由して番組情報蓄積サーバー１５１から当該の番組情報をセグメント単位で取得するよう通信部１０９へ指示する。
【００４２】
前記、番組情報の取得中に、ユーザーの操作によりデジタル放送受信機１０１の電源がＯＮされた場合、電源管理部１１０は、映像・音声復号部１１３と表示制御部１１４へ電源を供給する。
【００４３】
番組情報取得管理部１０３は、電源管理部１１０からの電源ＯＮの通知を受けて、直ちに放送局からのデジタル放送波による番組情報の取得を中止するとともに、選局管理部１１１に対し、電源ＯＦＦ前に視聴していたチャンネル（放送局）の選局を指示する。
【００４４】
判定部１０４は、このようにしてデジタル放送波による番組情報の取得を中止した際に取得できなかった番組情報に係る放送局のセグメントを特定し、電話回線を経由して番組情報蓄積サーバー１５１から当該の番組情報をセグメント単位で取得するよう通信部１０９へ指示する。
【００４５】
通信部１０９は、番組情報蓄積サーバー１５１へ電話回線を接続し、当該取得できなかった番組情報をセグメント単位で取得し、番組情報取得管理部１０３へ通知する。
【００４６】
通信部１０９は、判定部１０４から指示された全ての番組情報をセグメント単位で取得すると、番組情報蓄積サーバー１５１への電話回線を切断する。
【００４７】
番組情報取得管理部１０３へ通知されたセグメント単位の番組情報には、通常の番組視聴の場合と同様に、時刻管理部１０８から取得した取得時刻情報が付加され、記憶部１０５へ保存される。前述した通り、取得時刻情報は番組情報のセグメントを取得したか否かを識別する識別情報の一例である。
【００４８】
番組情報取得管理部１０３は、番組情報の自動取得中かつデジタル放送受信機１０１の電源をＯＮする必要がない場合は、番組情報取得完了と判断し、電源管理部１１０に対し、番組情報取得の完了を通知する。
【００４９】
以降の電源管理部１１０の動作は、番組視聴が終了して、ユーザー操作により、デジタル放送受信機１０１の電源がＯＦＦされた場合と同じであるため説明を省略する。
【００５０】
記憶部１０５と蓄積部１０７に記録される番組情報の例を図２に示す。図２において、番組情報２０１は、番組の放送日２０２毎に、番組の放送時間単位（セグメント２０３）で管理される。また、番組情報２０１は、放送局２０４毎に取得されるため、番組情報２０１の追加・更新が必要なセグメントを特定する場合は、放送局２０４毎であってセグメント２０３毎に追加・更新すべきかを特定する必要がある。例えば、図２では、放送局１について未取得のセグメントは、放送局２０４がＢ１（放送局１）であってセグメント２０３がＳ３（９〜１２時）であると特定される。
【００５１】
なお、セグメントは１日を所定の時間帯に分割したものであればよく、３時間毎に分割されていなくてもよい。たとえば、夜中は長い時間帯を１セグメントとし、ゴールデンタイムは短い時間帯を１セグメントとしてもよい。
【００５２】
次に、デジタル放送受信機１０１の番組情報の取得動作について、図３のフローチャートで説明する。
【００５３】
まず、デジタル放送受信機１０１のＡＣ電源をＯＮする（Ｓ１）と、デジタル放送受信機１０１は、ユーザー操作又はイベント発生待ち（Ｓ２）となる。ユーザー操作は、リモコンキー等により、デジタル放送受信機１０１の設定及び選局動作を行うことを示し、イベント発生は、例えば、番組情報の自動更新や予約録画動作を示す。
【００５４】
なお、デジタル放送受信機１０１のＡＣ電源がＯＮされた場合は、電源管理部１１０は電源ＯＦＦからＯＮ（Ｓ３）と判断し、選局管理部１１１によってＡＣ電源をＯＦＦする前にユーザーが視聴していた放送局が選局され、番組視聴（Ｓ４）となる。ユーザー操作による選局の場合、選局管理部１１１はユーザー操作（Ｓ３）と判断し、ユーザーが指定した放送局を選局し、番組視聴（Ｓ４）となる。
【００５５】
ユーザー操作により電源ＯＮからＯＦＦ（Ｓ５）と判断された場合は、番組情報を更新する処理を実行する。
【００５６】
また、電源ＯＦＦ中の番組情報自動更新（Ｓ６）と判断された場合も同様に、番組情報の更新処理を行う。
【００５７】
番組情報の更新処理では、まず、番組情報取得管理部１０３は、番組情報の更新が必要な放送局が残っているかを判断し（Ｓ７）、残っている場合は、電源ＯＦＦからＯＮ（Ｓ８：番組情報の取得中に、ユーザー操作により電源ＯＮされた）でない場合は、番組情報の取得が必要な放送局を選択し（Ｓ９）、選択した放送局の未取得番組情報を通信部１０９がセグメント単位に取得し、取得した番組情報を記憶部１０５に格納する（Ｓ１０）。
【００５８】
番組情報の更新が必要な放送局の選局が全て終了するか、ユーザー操作により電源ＯＮされるまで、（Ｓ７）から（Ｓ１０）の処理を繰り返す。
【００５９】
次に、判定部１０４は視聴可能な放送局の番組情報の取得が完了したか（Ｓ１１）を判定し、完了していない場合、通信部１０９は、番組情報蓄積サーバー１５１から必要な番組情報を取得する（Ｓ１２）。番組情報蓄積サーバー１５１から取得した番組情報は、記憶部１０５に格納する（Ｓ１３）。
【００６０】
次に、電源管理部１１０はユーザー操作によって電源ＯＦＦからＯＮの操作が行われたかを判断し（Ｓ１４）、電源ＯＮになっている場合は、番組視聴（Ｓ４）となる。電源ＯＮでない場合は、記憶部１０５から蓄積部１０７に、追加・更新された番組情報のみを書き込み（Ｓ１５）、電源ＯＦＦ中となる。
【００６１】
すなわち、電源ＯＮでない場合、更新制御部１０６は、記憶部１０５に記憶した番組情報と取得時刻情報と蓄積部１０７に蓄積した番組情報と取得時刻情報とを比較して、更新または追加が必要な番組情報を特定し、記憶部１０５に記憶された、前記特定した番組情報と取得時刻情報とから蓄積部１０７が記憶した複数の番組情報と複数の取得時刻情報とを更新する。
【００６２】
上記実施の形態では、判定部１０４にて電話回線を経由して番組情報蓄積サーバー１５１から番組情報を取得する判定を、番組情報の自動取得終了時あるいは中断時に行う説明を行ったが、判定を別のタイミングで実施しても良い。
【００６３】
例えば、デジタル放送受信機１０１が常に電源ＯＮで使用されるような場合は、上記実施の形態のあらかじめ定められた時刻での番組情報の自動取得動作は全く実行されない。このような場合はあらかじめ定められた時刻に判定部１０４にて番組情報の取得が必要である放送局のセグメントを番組情報取得日時から特定し、通信部１０９へ指示しても良い。
【００６４】
また、判定部１０４にて番組情報の取得が必要である放送局のセグメントを選ぶ判断基準として、セグメントの更新日時があらかじめ定められた期間以上経過していることを示すフラグにより番組情報の取得が必要であるか否かを判定するような条件としても良い。
【００６５】
なお、番組情報の更新に関して、最初から通信回線経由で番組情報蓄積サーバー１５１に接続して番組情報を更新することも考えられるが、放送波で受信できる無料の番組情報と比較して、少なくとも通信回線の接続費用がかかるため、放送波からの番組情報で更新を行うことを前提としている。
【００６６】
以上、番組情報を含むデジタル放送波を受信し、その放送波から分離された番組情報を蓄積し、当該番組情報を用いて番組表として表示、あるいは録画等の予約動作を行う機能を有するデジタル放送受信機１０１において、放送波から得られる番組情報を蓄積制御する番組情報取得管理部１０３と、番組情報を取得する放送局毎に番組情報を取得する単位（セグメント）で取得完了／未完了の判定を行う判定部１０４と、判定部１０４にて取得未完了と判定したセグメントの番組情報を通信回線経由で番組情報を蓄積したサーバー（番組情報蓄積サーバー１５１）から取得する通信部１０９を備えたデジタル放送受信機１０１について説明した。
【００６７】
また、あらかじめ定めた時刻にデジタル放送受信機１０１の電源スイッチがＯＦＦである場合、デジタル放送受信機１０１の番組情報取得に必要な最低限の部分のみを自動的に起動させる電源管理部１１０を備え、電源スイッチがＯＦＦの間、放送局毎に番組情報を取得する動作を行ない、取得途中で電源スイッチをＯＮに操作された場合に番組情報の取得動作を中断するデジタル放送受信機１０１について説明した。
【００６８】
また、判定部１０４において、番組情報の取得完了／未完了の判定を上記電源スイッチＯＮの操作による番組情報取得中断時に行うことを特徴とするデジタル放送受信機について説明した。
【００６９】
また、番組情報のセグメント毎に番組情報取得日時（番組情報の取得時刻情報）を記憶し、判定部１０４において、あらかじめ定めた時間よりも古い番組情報が蓄積されていると判断した場合、その番組情報のセグメントを通信回線経由で取得するように通信部１０９へ指示するデジタル放送受信機１０１について説明した。
【００７０】
以上のように、この実施の形態に係る発明によれば、地上デジタル放送の番組情報の取得中にユーザー操作によるデジタル放送受信機１０１の電源ＯＮで番組情報の取得が中断されたり、デジタル放送受信機１０１が常時電源ＯＮで連続動作されても、視聴可能な放送局の番組情報の取得をすることが出来るデジタル放送受信機１０１を得ることができ、古い番組情報に基づく視聴予定番組の見逃しや録画予約の失敗などが回避できる。
【００７１】
また、録画予約を行う場合、予約したい番組の情報が取得できていない場合や、予約した番組の情報が更新されていない場合にも、その番組の録画が中途半端もしくは、録画できない可能性を回避することができる。
【００７２】
図４は、デジタル放送受信機１０１のコンピュータ基本構成図である。
【００７３】
図４において、プログラムを実行するＣＰＵ４０は、バス３８を介してモニタ４１、キーボード４２、マウス４３、通信ポート４４、磁気ディスク装置４６等と接続されている。
【００７４】
磁気ディスク装置４６には、ＯＳ４７、プログラム群４９、ファイル群５０が記憶されている。例えば、プログラム群４９には、番組情報取得管理部１０３、判定部１０４等の機能を実現するためのプログラムが格納され、プログラム群４９に格納されたプログラムは、任意のタイミングでＣＰＵ４０、ＯＳ４７により実行される。
【００７５】
上記各実施の形態では、通信部１０９は、通信ポート４４の機能を使用して、電話回線等の通信回線を経由して番組情報蓄積サーバー１５１と通信を行う。
【００７６】
以上に記載した「格納する」、「蓄積する」、「記憶する」、「保持する」という用語は、記憶部１０５または蓄積部１０７のいずれかの記録媒体に保存することを意味する。
【００７７】
番組情報取得管理部１０３、判定部１０４等の各部が行う動作は、Ｈ／Ｗのみでも実施でき、Ｓ／Ｗのみでも実施でき、Ｈ／ＷとＳ／Ｗを組み合わせても実施することができる。
【００７８】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
【００７９】
また、上記各構成要素の動作を、各構成要素の処理と置き換えることにより、プログラムの実施の形態とすることができる。
【００８０】
また、プログラムを、プログラムを記録したコンピュータ読み取り可能な記録媒体に記憶させることで、プログラムに記録したコンピュータ読み取り可能な記録媒体の実施の形態とすることができる。
【００８１】
従って、受信制御プログラムの実施の形態は、
通信手段により複数の放送局から番組の内容に関係する番組情報を含んだ情報を複数受信する処理と、
前記受信した複数の情報に含まれる複数の番組情報とともに各番組情報の取得を完了したか否かを示す識別情報を記憶部に記憶する処理と、
前記記憶部に記憶した識別情報に基づいて、所定の番組情報の取得が完了したか否かを判定する処理と、
所定の番組情報の取得を完了していないと判定した場合には、前記複数の情報の受信に使用した通信手段とは異なる通信手段を使用して前記所定の番組情報を取得する処理とをコンピュータに実行させるための受信制御プログラムを記録したコンピュータ読み取り可能な記録媒体、というように、受信制御プログラムを記録したコンピュータ読み取り可能な記録媒体の実施の形態とすることができる。
【００８２】
プログラムの実施の形態及びプログラムに記録したコンピュータ読み取り可能な記録媒体の実施の形態は、すべてコンピュータで動作可能なプログラムにより構成することができる。
【００８３】
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各プログラムが実行されることになる。
【００８４】
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【図面の簡単な説明】
【００８５】
【図１】この発明の実施の形態によるデジタル放送受信機の構成図である。
【図２】この発明の実施の形態による記憶部及び蓄積部に書き込まれる番組情報の例である。
【図３】この発明の実施の形態によるデジタル放送受信機の動作を示すフローチャートである。
【図４】デジタル放送受信機１０１のコンピュータ基本構成図である。
【符号の説明】
【００８６】
３８  バス、４０  ＣＰＵ、４１  モニタ、４２  キーボード、４３  マウス、４４  通信ポート、４６  磁気ディスク装置、４７  ＯＳ、４９  プログラム群、５０  ファイル群、１０１  デジタル放送受信機、１０２  受信部、１０３
番組情報取得管理部、１０４  判定部、１０５  記憶部、１０６  更新制御部、１０７  蓄積部、１０８  時刻管理部、１０９  通信部、１１０  電源管理部、１１１  選局管理部、１１２  多重分離部、１１３  映像・音声復号部、１１４  表示制御部、１５０  テレビモニタ、１５１  番組情報蓄積サーバー、２０１  番組情報、２０２  放送日、２０３  セグメント、２０４  放送局。
【図１】
2005051613.tif 000003
【図２】
2005051613.tif 000004
【図３】
2005051613.tif 000005
【図４】
2005051613.tif 000006